(57)【要約】【課題】盗難防止コントローラが装着されたときに対応可能な車体コントローラの機能を確保でき、盗難防止コントローラが装着されないときの良好な作業性も確保できる。【解決手段】走行体及び作業機を含む車体と、エンジン１と、このエンジン１によって駆動するポンプ２と、このポンプ２から吐出される圧油によって作動し、車体を駆動する油圧アクチュエータと、エンジン１の回転数、及び上記油圧アクチュエータへの供給流量を制御する車体コントローラ１３とを有し、この車体１３コントローラが、上記油圧アクチュエータへの供給流量を所定の低流量に制限する流量制限手段を含むものであって、車体コントローラ１３が、上記流量制限手段の作動を無効にする手段を含むと共に、車体コントローラ１３に対し上記流量制限手段の作動を有効または無効とする選択信号を出力可能な有効選択スイッチ５０ａと無効選択スイッチ５０ｂとを有する選択手段５０を備えた。【選択図】図１
2006088835.tif 000002
【特許請求の範囲】
【請求項１】
走行体及び作業機を含む車体と、エンジンと、このエンジンによって駆動するポンプと、このポンプから吐出される圧油によって作動し、上記車体を駆動する油圧アクチュエータと、上記エンジンの回転数、及び上記油圧アクチュエータへの供給流量を制御する車体コントローラとを有し、この車体コントローラが、上記油圧アクチュエータへの供給流量を所定の低流量に制限する流量制限手段を含む建設機械において、
上記車体コントローラが、上記流量制限手段の作動を無効にする手段を含むと共に、
上記車体コントローラに対し上記流量制限手段の作動を有効または無効とする選択信号を出力可能な選択手段を備えたことを特徴とする建設機械。
【請求項２】
上記請求項１に記載の発明において、
盗難防止に関連する信号を出力する盗難防止コントローラと、この盗難防止コントローラと上記車体コントローラとを接続する通信手段とを備え、
上記盗難防止コントローラは、盗難防止に関連する信号を出力した状態で上記エンジンの駆動を可能に保持するものから成ると共に、盗難防止システムの作動時に、この盗難防止システムが作動していることを示すシステム作動信号を出力する手段を含み、
上記車体コントローラが、上記盗難防止コントローラからの上記盗難防止に関連する信号が入力されているかどうか判断する第１判断手段と、上記システム作動信号が入力されていないかどうかを判断する第２判断手段とを含み、
上記車体コントローラに含まれる上記流量制限手段が、上記第１判断手段で上記盗難防止に関連する信号が入力されていると判断されたときに、または、上記第２判断手段で上記システム作動信号が入力されていないと判断されたときに、上記油圧アクチュエータへの供給流量を所定の低流量に制限するものから成ることを特徴とする建設機械。
【請求項３】
上記請求項２記載の発明において、
上記流量制限手段が、エンジン回転数を所定の低回転数に制限する手段を含むことを特徴とする建設機械。
【請求項４】
上記請求項２または３記載の発明において、
上記流量制限手段が、上記ポンプの吐出流量を所定の低流量に制限する手段を含むことを特徴とする建設機械。
【発明の詳細な説明】
【技術分野】
【０００１】
本発明は、車体コントローラが油圧アクチュエータへの供給流量を所定の低流量に制限する流量制限手段を含む油圧ショベル等の建設機械に関する。
【背景技術】
【０００２】
従来、盗難防止に関連する信号、例えばエンジンの駆動を阻止する信号を出力する盗難防止制御装置、すなわち盗難防止コントローラと、エンジンの回転数及び油圧アクチュエータへの供給流量を制御する機体コントローラ、すなわち車体コントローラとを備え、これらの盗難防止コントローラと車体コントローラとを、通信手段例えば通信回線で接続した技術が特許文献１に開示されている。
【０００３】
この従来技術は、盗難防止のために、盗難防止コントローラからスタータの駆動を阻止する信号が出力されると、この信号に応じてエンジンのスタータの駆動が阻止されると共に、通信回線を介して送信される上述の信号により、車体コントローラが油圧アクチュエータへの圧油の供給を阻止させるように作動する。これにより、この盗難防止装置が装備される建設機械が仮に盗難されても、作業機による作業を実施できない状態となり、盗難に対する大きな牽制力が確保される。
【０００４】
ところで、町中等の作業現場においては、盗難防止システムの作動中に、何らかの理由により緊急に建設機械を動かしたい事態とか、例えば建設機械が油圧ショベルなどであるときに、緊急にブームを下げたい事態などが生じることがある。このような緊急事態にあっては、上述した従来技術では、暗証番号の入力により盗難防止システムの作動を解除させ、これにより車体コントローラによる油圧アクチュエータへの圧油の供給阻止を解除させなければならない。そのとき、オペレータが暗証番号を知らない場合には、多大の時間をロスする虞がある。
【０００５】
すなわち、上述した従来技術は、盗難防止システムの解除のために暗証番号の入力操作が介在することから、この解除作業が煩雑になり、これに伴って車体コントローラによる油圧アクチュエータへの圧油供給阻止の解除に手間取り、走行体を動かしたり、ブーム等の作業機を動かしたりできるまでに時間がかかり、盗難防止システムの作動中における緊急時の迅速な対応を実現できなくなる場合がある。
【０００６】
このようなことから、本願出願人は先に、所望の盗難防止機能を確保できると共に、盗難防止システムの作動中における車体の最低限の駆動を、暗証番号を介在させることなく実現できる建設機械の盗難防止装置を提案した（特願２００３−３５０８８４）。
【０００７】
この本願出願人が提案した発明は、盗難防止に関連する信号を出力する盗難防止コントローラと、この盗難防止コントローラと上記車体コントローラとを接続する通信手段とを備え、上記盗難防止コントローラは、盗難防止に関連する信号を出力した状態で上記エンジンの駆動を可能に保持するものから成ると共に、盗難防止システムの作動時に、この盗難防止システムが作動していることを示すシステム作動信号を出力する手段を含み、上記車体コントローラが、上記盗難防止コントローラからの上記盗難防止に関連する信号が入力されているかどうか判断する第１判断手段と、上記システム作動信号が入力されていないかどうかを判断する第２判断手段と、上記第１判断手段で上記盗難防止に関連する入力されていると判断されたときに、または、上記第２判断手段で上記システム作動信号が入力されていないと判断されたときに、上記油圧アクチュエータへの供給流量を所定の低流量に制限する流量制限手段とを含む構成になっている。
【０００８】
この提案された発明においては、所定の低流量を、緩速度で走行体を動かすことのできる程度の流量とか、作業機を緩速度で動かすことのできる程度の流量、すなわち通常作業における走行体の走行時、作業機の作動時に比べてはるかに遅い速度ではあるが、車体の最低限の駆動を行ない得る速度とする流量に設定しておくことがおこなわれる。これにより、所定の低流量が油圧アクチュエータに供給されるときには、通常作業を行うことはできなくなる。
【０００９】
この提案された発明では、盗難防止コントローラが作動して盗難防止システムが働いているときには、盗難防止コントローラによってエンジンの駆動が可能な状態に保たれると共に、盗難防止コントローラから通信手段を介して車体コントローラに盗難防止に関連する信号が出力される。車体コントローラの第１判断手段は、盗難防止コントローラからの盗難防止に関連する信号が入力されていると判断し、流量制限手段が作動する。したがって、エンジンを駆動することにより、油圧アクチュエータへ所定の低流量が供給される。すなわち、このような盗難防止コントローラからの盗難防止に関連する信号が入力されている状態では、緩速度で車体を動かすことは可能となるものの、通常作業が不能となる。仮に盗難された場合でも、通常作業は実施できないことから、盗難に対する牽制力が確保される。これによって盗難防止に大きく貢献する。また、盗難防止システムが働いているときに緊急事態等が生じて車体を動かす必要が生じても、車体の最低限の駆動を、暗証番号を介在させることなくオペレータはおこなうことができる。
【００１０】
装備されている盗難防止コントローラが故障したり、盗まれるなどによって、車体コントローラの第２判断手段で、盗難防止コントローラからシステム作動信号が入力されていないと判断されたときも上記と同様に、上記油圧アクチュエータへの供給流量が所定の低流量に制限される。
【特許文献１】特開２０００−６４３６３公報
【発明の開示】
【発明が解決しようとする課題】
【００１１】
上述した建設機械に備えられる盗難防止コントローラは、一般にオプション仕様品となっており、顧客の選択により該当する建設機械に取り付けられるようになっている。すなわち、同じ機種の建設機械であっても、盗難防止コントローラが取り付けられる建設機械と、盗難防止コントローラが取り付けられない建設機械とが存在する。
【００１２】
ここで、盗難防止コントローラが取り付けられるかどうかに拘わらず、盗難防止コントローラを取り付けることを考慮して、車体コントローラには、上述したように、第１判断手段で盗難防止に関連する信号が入力されていると判断されたときに、または、第２判断手段でシステム作動信号が入力されていないと判断されたときに、油圧アクチュエータの供給流量を所定の低流量に制限する流量制限手段を含ませるようにしておきたい。
【００１３】
しかしながら、盗難防止コントローラが取り付けられていない建設機械に備えられる車体コントローラに上述した流量制限手段を含ませようとしたときには、「盗難防止コントローラからのシステム作動信号の出力」が存在しないので、上述の第２判断手段によって、システム作動信号が入力されていないと判断されてしまい、流量制限手段で油圧アクチュエータへの供給流量が所定の低流量に制限されてしまうことになり、走行体の走行あるいは作業機による作業に支障をきたすことになって都合が悪い。
【００１４】
本発明は、上述した実状からなされたもので、その目的は、盗難防止コントローラが装着されたときに対応可能な車体コントローラの機能を確保できると共に、盗難防止コントローラが装着されないときの良好な作業性も確保できる建設機械を提供することにある。
【課題を解決するための手段】
【００１５】
上記目的を達成するために、本発明は、走行体及び作業機を含む車体と、エンジンと、このエンジンによって駆動するポンプと、このポンプから吐出される圧油によって作動し、上記車体を駆動する油圧アクチュエータと、上記エンジンの回転数、及び上記油圧アクチュエータへの供給流量を制御する車体コントローラとを有し、この車体コントローラが、上記油圧アクチュエータへの供給流量を所定の低流量に制限する流量制限手段を含む建設機械において、上記車体コントローラが、上記流量制限手段の作動を無効にする手段を含むと共に、上記車体コントローラに対し上記流量制限手段の作動を有効または無効とする選択信号を出力可能な選択手段を備えたことを特徴としている。
【００１６】
このように構成した本発明は、盗難防止コントローラが装着される場合には、選択手段によって有効を選択し、流量制限手段の作動を有効とする選択信号を車体コントローラに出力させればよい。これにより、車体コントローラの流量制限手段は、盗難防止コントローラから出力される信号に応じて適宜作動し、油圧アクチュエータへの供給流量を所定の低流量に制限する制御を実施する。この制御により上述したように、緩速度で車体を動かすことは可能となるものの、通常作業が不能となり、盗難に対する牽制力が確保される。また、盗難防止システムが働いているときに緊急事態等が生じて車体を動かす必要が生じても、この車体の最低限の駆動を、暗証番号を介在させることなくオペレータはおこなうことができる。
【００１７】
また、盗難防止コントローラが装着されない場合は、選択手段によって無効を選択し、流量制限手段の作動を無効とする選択信号を車体コントローラに出力させればよい。これにより、車体コントローラに含まれる流量制限手段の作動を無効にする手段が作動し、この手段によって流量制限手段による油圧アクチュエータの供給流量を所定の低流量に制限する制御を無効とする処理がおこなわれる。したがって、通常作業時に強制的に所定の低流量に制限される事態を生じることがなく、この通常作業を支障なく実施することができる。
【００１８】
すなわち、本発明は、車体コントローラが油圧アクチュエータの供給流量を所定の低流量に制限する流量制限手段を含むことにより、盗難防止コントローラが装着されたときに対応可能な車体コントローラの機能を確保できると共に、選択手段で無効を選択することにより、流量制限手段の作動が無効となり、盗難防止コントローラが装着されないときの良好な作業性を確保できる。
【００１９】
また本発明は、上記発明において、盗難防止に関連する信号を出力する盗難防止コントローラと、この盗難防止コントローラと上記車体コントローラとを接続する通信手段とを備え、上記盗難防止コントローラは、盗難防止に関連する信号を出力した状態で上記エンジンの駆動を可能に保持するものから成ると共に、盗難防止システムの作動時に、この盗難防止システムが作動していることを示すシステム作動信号を出力する手段を含み、上記車体コントローラが、上記盗難防止コントローラからの上記盗難防止に関連する信号が入力されているかどうか判断する第１判断手段と、上記システム作動信号が入力されていないかどうかを判断する第２判断手段とを含み、上記車体コントローラに含まれる上記流量制限手段が、上記第１判断手段で上記盗難防止に関連する信号が入力されていると判断されたときに、または、上記第２判断手段で上記システム作動信号が入力されていないと判断されたときに、上記油圧アクチュエータへの供給流量を所定の低流量に制限するものから成ることを特徴としている。
【００２０】
このように構成した本発明は、選択手段で有効を選択することにより盗難防止機能を確保でき、車体コントローラの第１判断手段で盗難防止コントローラから盗難防止に関連する信号が入力されていると判断されたときに、または、第２判断手段で盗難防止コントローラからのシステム作動信号が入力されていないと判断されたときに、流量制限手段が作動して、油圧アクチュエータへの供給流量が所定の低流量となるように制限される。
【００２１】
また本発明は、上記発明において、上記流量制限手段が、エンジン回転数を所定の低回転数に制限する手段を含むことを特徴としている。
【００２２】
また本発明は、上記発明において、上記流量制限手段が、上記ポンプの吐出流量を所定の低流量に制限する手段を含むことを特徴としている。
【発明の効果】
【００２３】
本発明は、盗難防止コントローラが装着されたときに対応可能な車体コントローラの機能を確保できると共に、盗難防止コントローラが装着されないときの良好な作業性も確保でき、したがって、盗難防止コントローラを備える場合、盗難防止コントローラを備えない場合のいずれの場合にも所望の機能を確保することができる。
【発明を実施するための最良の形態】
【００２４】
以下，本発明に係る建設機械を実施するための最良の形態を図に基づいて説明する。
【００２５】
図１は本発明の第１実施形態を示す要部構成図、図２は本発明の第１実施形態に装備されるポンプトルク制御装置を示す油圧回路図である。
【００２６】
この第１実施形態、及び後述する第２、第３実施形態は、建設機械として例えば油圧ショベルに適用したものである。この油圧ショベルすなわち第１実施形態は、図示しないが走行体や、ブーム、アーム等から成る作業機を含む車体を備えている。また、図１，２に示すように、エンジン１と、このエンジン１によって駆動する可変容量型油圧ポンプ、すなわちメインポンプ２と、このメインポンプ２から吐出される圧油によって駆動する図示しない走行モータ、ブームシリンダ、アームシリンダ等の油圧アクチュエータと、これらの油圧アクチュエータをそれぞれ制御する図示しない方向制御弁とを備えている。また、エンジン１の回転数、及び上述の油圧アクチュエータへの供給流量を制御する車体コントローラ１３とを有している。
【００２７】
この第１実施形態に備えられるポンプトルク制御装置について図２に基づいて最初に説明し、次にこの第１実施形態が保有する基本特性について図３~５に基づいて説明し、その次に本発明の第１実施形態の特徴とする点について説明する。
【００２８】
［ポンプトルク制御装置］
本発明の１実施形態は、上述したエンジン１、メインポンプ２、車体コントローラ１３の他に、図２に示すように、エンジン１によって駆動するパイロットポンプ３と、タンク４とを備えている。また、上述した図示しない油圧アクチュエータを操作する操作装置５と、メインポンプ２の傾転角を制御する傾転制御アクチュエータ６と、メインポンプ２の最大ポンプトルクを調整するトルク調整手段とを備えている。傾転制御アクチュエータ６は、制御圧が導かれる受圧室６ａと、パイロット圧が導かれる受圧室６ｂと、傾転角を制御するスプール６ｃとを備えている。
【００２９】
上述のトルク調整手段は、メインポンプ２の吐出圧の変化に拘わらず、最大ポンプトルクを一定に保つように傾転制御アクチュエータ６を制御するトルク制御弁７と、操作装置５の操作量に応じて最大ポンプトルクを調整するポジション制御弁８とを含んでいる。トルク制御弁７は、スプール７ａと、このスプール７ａを付勢するばね７ｂと、馬力制御に係る制御圧が導かれる受圧室７ｃと、ポンプ圧が導かれる受圧室７ｄとを備えている。ポジション制御弁８は、スプール８ｂと、このスプール８ｂを付勢するばね８ａとを備えている。ばね８ａの力に対抗するように、操作装置５の操作に伴うパイロット圧が管路３２を介してポジション制御弁８の制御室に与えられる。
【００３０】
また、メインポンプ２の傾転角を検出する傾転センサ９と、メインポンプ２の吐出圧を検出する吐出圧センサ１０と、操作装置５の操作に伴って出力されるパイロット圧を検出するパイロット圧センサ１１と、エンジン１の目標回転数を指示する回転数指示器１２とを備えている。
【００３１】
また、上述したセンサ９〜１１、及び回転数指示器１２からの信号を入力すると共に、記憶機能と、論理判断を含む演算機能とを有し、演算結果に応じた制御信号を出力する上述の車体コントローラ１３と、この車体コントローラ１３から出力されるエンジン回転数信号に応じて、エンジン回転数を制御する燃料噴射ポンプ１４を作動させる信号を出力するエンジンコントローラ１５とを備えている。
【００３２】
また、車体コントローラ１３から出力される制御信号に応じて作動し、上述のトルク制御弁７のスプール７ａをばね７ｂの力に抗して作動させる電磁弁１６を備えている。
【００３３】
上述した各構成要素のうちの傾転制御アクチュエータ６と、トルク制御弁７と、ポジション弁８と、電磁弁１６とによって、メインポンプ２の傾転角を制御するレギュレータ２Ａが構成されている。また、このレギュレータ２Ａと、車体コントローラ１３、操作装置５、センサ９〜１１等によって、メインポンプ２のトルクを制御するポンプトルク制御装置が構成されている。
【００３４】
［第１実施形態が保有する基本特性］
図３〜５は、第１実施形態が保有する基本特性を示す図で、図３はポンプ吐出圧−押し除け容積特性（ＰＱ特性に対応）、及びポンプ吐出圧−ポンプトルク特性を示す図、図４はＰＱ線移動特性を示す図、図５はエンジン目標回転数−トルク特性を示す図である。
【００３５】
この第１実施形態が保有する基本特性として、図３の（ａ）図に示すポンプ吐出圧Ｐ−押し除け容積ｑの関係、すなわち、ポンプ吐出圧Ｐ−押し除け容積ｑに相応する吐出流量Ｑの関係であるＰＱ線図２０で示す特性を有する。このＰＱ線図２０は、ポンプトルク一定線図２１に相応する。また、図３の（ｂ）図に示すように、ポンプ吐出圧Ｐ−ポンプトルクの関係であるＰＱ制御によるポンプトルク線図２２で示す特性を有する。
【００３６】
なお、上述したようにメインポンプ２の吐出圧をＰ、押し除け容積をｑ、また、ポンプトルクをＴｐ、機械効率をηｍとすると、
Ｔｐ＝（Ｐ×ｑ）／（６２８×ηｍ）
の関係にあることが知られている。
【００３７】
また、この第１実施形態が有する基本特性として、図４に示すように、ＰＱ線移動特性を有する。同図４中、２３はエンジン目標回転数に基づく最大ポンプトルクに相応するＰＱ線図であり、２４は前述した最大ポンプトルクよりも低い低トルク制御によるポンプトルクに相応するＰＱ線図である。トルク制御処理を行なうことにより、本来の最大ポンプトルクに相応するＰＱ線図２３と、所定の低回転数ｎ１に応じた低ポンプトルクに相応するＰＱ線図２４との間を移動可能になっている。
【００３８】
また、この第１実施形態が有する基本特性として、図５に示すエンジン１の目標回転数−トルクの関係で示すエンジン最大トルク線図２５で示す特性、及びこのエンジン最大トルク線図２５を超えないように抑えられる最大ポンプトルク線図２６で示す特性を有する。最大ポンプトルクは、エンジン１の目標回転数が所定の低回転数ｎ１のとき、最大ポンプトルク線図２６上の小さな値Ｔｐ１となり、エンジン１の目標回転数が例えば定格回転数ｎ２になると、最大ポンプトルク線図２６上の最大値Ｔｐ２となる。図５に示す最大ポンプトルク線図２６上で最大値Ｔｐ２となるときのＰＱ線図は、例えば図４のＰＱ線図２３となり、図５に示す最大ポンプトルク線図２６上の小さな値Ｔｐ１となるときのＰＱ線図は、例えば図４のＰＱ線図２４となる。
【００３９】
［第１実施形態の要部構成］
上述した各構成要素、及び基本特性を有する第１実施形態は、図１に示すように、エンジン１のスタータ１ａに信号線４１を介して接続され、盗難防止に関連する信号を出力する盗難防止コントローラ４０と、この盗難防止コントローラ４０、車体コントローラ１３、及びエンジンコントローラ１５を接続する通信回線４２とによって構成される盗難防止装置を装備したものである。
【００４０】
盗難防止コントローラ４０は、例えば第１処理部４０ａと、第２処理部４０ｂとを備えている。第１処理部４０ａで処理操作されたときには、例えば従前とほぼ同様の盗難防止システムである第１盗難防止システムが作動するようになっている。すなわち、盗難防止コントローラ４０から信号線４１を介して盗難防止に関連する信号として、エンジン１のスタータ１ａに、このスタータ１ａの駆動を阻止する信号が出力されると共に、盗難防止コントローラ４０から通信回線４２を介して車体コントローラ１３に盗難防止に関連する信号として、車体の駆動を制限する車体動作制限信号が出力されるようになっている。第１処理部４０ａの上述の処理操作を解除することにより、スタータ１ａの駆動阻止が解除され、車体コントローラ１３による車体に対する駆動の制限が解除されるようになっている。
【００４１】
また、第２処理部４０ｂで処理操作されたときには、上述した第１盗難防止システムとは異なる第２盗難防止システムが作動するようになっている。この第２盗難防止システムが作動したときには、盗難防止コントローラ４０から、盗難防止に関連する信号として、車体動作制限信号が出力される。また、例えばこの盗難防止コントローラ４０から第２盗難防止システムが作動していることを示すシステム作動信号が出力される。この第２盗難防止システムでは、盗難防止コントローラ４０からエンジン１のスタータ１ａの駆動を阻止する信号は出力されない。したがって、エンジン１の駆動は可能に保持される。
【００４２】
車体コントローラ１３は、盗難防止コントローラ４０からの盗難防止に関連する信号、すなわち上述した車体動作制限信号が入力されているかどうか判断する第１判断手段と、第２盗難防止システムの作動時に、上述したシステム作動信号が入力されていないかどうか判断する第２判断手段と、第１判断手段で車体動作制限信号が入力されていると判断されたときに、または、第２判断手段でシステム作動信号が入力されていないと判断されたときに、図示しない油圧アクチュエータへの供給流量を所定の低流量に制限する流量制限手段を含んでいる。この流量制限手段は、例えばエンジン回転数を所定の低回転数ｎ１に制限する手段を含んでいる。
【００４３】
上述した車体コントローラ１３に含まれる流量制限手段で制限される所定の低流量とは、緩速度で車体に含まれる走行体を動かすことのできる程度の流量、あるいは車体に含まれる作業機を緩速度で動かすことのできる程度の流量である。すなわち、所定の低流量を、通常作業における走行体の走行時、作業機の作動時に比べてはるかに遅い速度ではあるが、車体の最低限の駆動を行ない得る速度とする流量に設定してある。この第１実施形態では、エンジン１の回転数を前述した図５に示す所定の低回転数ｎ１に制限することにより、メインポンプ２から上述の所定の低流量に相当する流量が吐出され、この所定の低流量が図示しない油圧アクチュエータに供給されるようになっている。
【００４４】
この第１実施形態は特に、車体コントローラ１３が上述した流量制限手段の作動を無効にする手段を含むと共に、図１に示すように、車体コントローラ１３に対し、流量制限手段の作動を有効または無効とする選択信号を出力可能な選択手段５０を備えた構成にしてある。すなわち、選択手段５０は、有効スイッチ５０ａと無効スイッチ５０ｂを備え、有効スイッチ５０ａがオンとなると、有効選択信号が車体コントローラ１３に出力され、無効スイッチ５０ｂがオンとなると、無効選択信号が車体コントローラ１３に出力されるようになっている。
【００４５】
［第１実施形態の動作］
以下、上述のように構成した第１実施形態の動作について説明する。
【００４６】
[第１処理部４０ａの処理操作時]
例えば、当該第１実施形態すなわち油圧ショベルが所定の倉庫内に収納され、作業機による作業等を実施する必要がなく、また走行体を駆動させる必要のない状況等における盗難防止に際しては、盗難防止コントローラ４０の第１処理部４０ａにおいて処理操作され、第１盗難防止システムが作動する。
【００４７】
このとき、盗難防止コントローラ４０から信号線４１を介して盗難防止に関連する信号として、前述したようにエンジン１のスタータ１ａに、このスタータ１ａの駆動を阻止する信号が出力されると共に、盗難防止コントローラ４０から通信回線４２を介して盗難防止に関連する信号として、車体動作制限信号が出力される。
【００４８】
これにより、スタータ１ａの駆動が阻止される。また、盗難防止コントローラ４０からの車体動作制限信号を入力した車体コントローラ１３は、エンジンコントローラ１５へのエンジン回転数信号の出力を停止させる処理を実施する。したがって、図２に示す燃料噴射ポンプ１４は停止保持される。これらにより、エンジン１は駆動不能に保たれる。
【００４９】
また、上述した車体動作制限信号を入力した車体コントローラ１３は、図２の電磁弁１６を同図２に示すような上段位置に保持させる制御信号をこの電磁弁１６の制御部に出力する。これにより、パイロットポンプ３のパイロット圧が、電磁弁１６を介してトルク制御弁７の受圧室７ｃに与えられ、このトルク制御弁７のスプール７ａが同図２の左方向に移動し、傾転制御アクチュエータ６の受圧室６ａ，６ｂの双方に、パイロットポンプ３のパイロット圧が与えられる。このとき、この傾転制御アクチュエータ６のスプール６ｃの両端面の受圧面積差により、このスプール６ｃが同図２の右方向に移動し、メインポンプ２の傾転角は矢印３０方向に変化して最小傾転角となる。したがって、メインポンプ２からは、前述した所定の低流量に相当する最小流量の吐出が可能に保持される。但し今は、上述したようにエンジン１は駆動不能に保持されるので、エンジン１によって駆動されるメインポンプ２も駆動せず、このメインポンプ２から図示しない油圧アクチュエータに圧油が供給されることはない。
【００５０】
このようにして、倉庫内に収納された第１実施形態の車体に含まれる走行体は走行不能に、また、車体に含まれる作業機は作動不能に保持され、盗難に対する牽制力が確保される。
【００５１】
なお、上述した第１盗難防止システムを解除させて、第１実施形態を走行させ、あるいは作業機を作動させて所望の通常作業等を実施しようとする場合には、盗難防止コントローラ４０の第１処理部４０ａの処理操作を解除する処理が実施される。
【００５２】
この解除処理により、盗難防止コントローラ４０からのスタータ１ａの駆動を阻止する信号の出力が停止されると共に、盗難防止コントローラ４０から通信回線４２を介して車体コントローラ１３に前述した車体動作制限信号に代えて車体動作許可信号が出力される。この車体動作許可信号を入力した車体コントローラ１３は、図１に示す通信回線４２を介してエンジンコントローラ１５に所定の低回転数ｎ１に相当するエンジン回転数信号を出力する。これによりエンジンコントローラ１５は、エンジン１を所定の低回転数ｎ１で起動可能な状態に保持する。ここでスタータ１ａを駆動すると、エンジンコントローラ１５から図２に示す燃料噴射ポンプ１４が作動して、エンジン１は、所定の低回転数ｎ１で起動可能となる。引き続いて車体コントローラ１３は、図２に示す回転数指示器１２で指示されるエンジン目標回転数に相当するエンジン回転数信号を図１に示す通信回線４２を介してエンジンコントローラ１５に出力する。これにより、エンジンコントローラ１５から燃料噴射ポンプ１４に該当する制御信号が出力され、エンジン１が回転数指示器１２で指示された回転数で駆動する。
【００５３】
また、車体動作許可信号を入力した車体コントローラ１３は、例えば図２の電磁弁１６を同図２の下段位置に切り換える制御信号を出力する。これにより、トルク制御弁７の受圧室７ｃは電磁弁１６を介してタンク４に連通する。したがって、トルク制御弁７のスプール７ａは、受圧室７ｄに与えられるメインポンプ２の圧、すなわちポンプ吐出圧による力と、ばね７ｂの力とがバランスする位置に保持され、これに応じてメインポンプ２の傾転角が最小傾転角よりも大きくなるように制御される。操作装置５が操作されると、その操作量に応じて図示しない方向制御弁が切り換えられ、車体に含まれる走行体の走行、あるいは作業機の作動に必要な流量がメインポンプ２から図示しない油圧アクチュエータに供給される。すなわち、所望の通常作業等の実施が可能となる。
【００５４】
［第２処理部４０ｂの処理操作時］
図６，７は車体コントローラ１３における処理手順を示すフローチャートである。以下、盗難防止コントローラ４０の第２処理部４０ｂにおいて処理操作されて第２盗難防止システムが作動する場合の処理について、図６，７のフローチャート等に基づいて説明する。
【００５５】
例えば町中等の作業現場において、数時間の間この第１実施形態を停止させる場合などにあって、当該第１実施形態の盗難防止を実施するときには、選択手段５０で有効スイッチ５０ａがオンにされ、盗難防止コントローラ４０の第２処理部４０ｂにおいて処理操作されて第２盗難防止システムが作動する。
【００５６】
盗難防止コントローラ４０の第２処理部４０ｂにおいて処理操作されたときには、盗難防止コントローラ４０からスタータ１ａへの駆動阻止信号は出力されない。したがって、エンジン１は駆動可能な状態に保持される。また、盗難防止に関連する信号として車体動作制限信号が、この盗難防止コントローラ４０から通信回線４２を介して車体コントローラ１３に出力される。また、車体動作制限信号と共に、例えば所定周期ごとに第２盗難防止システムが作動したことを示すシステム作動信号が出力される。さらに、選択手段５０の有効スイッチ５０ａの操作により、有効選択信号が車体コントローラ１３に出力される。
【００５７】
図６のフローチャートに示すように、車体コントローラ１３では、最初に選択手段５０からの有効選択信号が入力されているかどうか判断する（図６の手順Ｓ１）。今は、この有効選択信号が入力されているので、この判断はイエスとなる。次に、この車体コントローラ１３に備えられる第１判断手段は、車体動作許可信号が入力されたかどうか判断する（図６の手順Ｓ２）。今は、車体動作制限信号が入力されている状態であり、車体動作許可信号は入力されていないので、この判断はノーとなる。次に、この車体コントローラ１３に備えられる第１判断手段は、車体動作制限信号が入力されたかどうか判断する（図６の手順Ｓ３）。今は、車体動作制限信号が入力されているので、この判断はイエスとなる。したがって、このときには、エンジン１の目標回転数として所定の低回転数ｎ１が設定される（図６の手順Ｓ４）。この所定の低回転数ｎ１は前述したように、車体の最低限の駆動を行ない得る流量を油圧アクチュエータに供給可能なエンジン１の回転数である。
【００５８】
次に、設定された所定の低回転数ｎ１に相当するエンジン回転数信号が通信回線４２を介してエンジンコントローラ１５に出力される（図６の手順Ｓ５）。これにより、エンジン１は所定の低回転数ｎ１での駆動が可能な状態に保持される。
【００５９】
仮に、このような第２盗難防止システムの作動中に、当該第１実施形態、すなわち油圧ショベルが盗難された場合、スタータ１ａを駆動し、エンジン１を起動させた状態で、図２に示す操作装置５を操作して図示しない方向制御弁を切り換えても、メインポンプ２から吐出される流量は、上述のエンジン回転数、すなわち所定の低回転数ｎ１に相当する所定の低流量となる。また、このときのポンプトルクは、上述した図５に示す小さな値Ｔｐ１となる。したがって、車体に含まれる走行体の緩速度の走行、作業機の緩速度の作動は可能であるものの、通常速度の走行とか、掘削作業とかの通常作業等は実施することができない。
【００６０】
なお、上述のように第２盗難防止システムが作動している最中には、例えば所定の周期ごとに、盗難防止コントローラ４０からシステム作動信号が出力される。車体コントローラ１３は、図７のフローチャートに示すように、最初に選択手段５０からの有効選択信号が入力されているかどうか判断する（図７の手順Ｓ１１）。今は、この有効選択信号が入力されているので、この判断はイエスとなる。次に、この車体コントローラ１３に備えられる第２判断手段は、第２盗難防止システムの作動中、常時このシステム作動信号が入力されているかどうか判断する（図７の手順Ｓ１２）。
【００６１】
ここで、盗難防止コントローラ４０に故障を生じたり、あるいは盗難防止コントローラ４０の盗難等によって、盗難防止コントローラ４０と車体コントローラ１３とを接続する通信回線４２に断線を生じたりしたときには、車体コントローラ１３にシステム作動信号が入力されず、上述の判断はノーとなる。このときにも、前述した図６の手順Ｓ４と同様に、エンジン１の目標回転数として所定の低回転数ｎ１が設定される（図７の手順Ｓ１３）。次に、設定された所定の低回転数ｎ１に相当するエンジン回転数信号が通信回線４２を介してエンジンコントローラ１５に出力される（図７の手順Ｓ１４）。したがって上述のように、エンジン１は所定の低回転数ｎ１での駆動が可能な状態に保持される。
【００６２】
そして、上述した第２盗難防止システムを解除させて所望の通常作業等を再開しようとする場合などにあっては、選択手段５０の有効スイッチ５０ａをオフにする処理が実施される。
【００６３】
この処理により、図６の手順Ｓ１の判断及び図７の手順Ｓ１１の判断は、ノーとなり、車体コントローラ１５はエンジン１の回転数を、図２に示す回転数指示器１２で指示されるエンジン目標回転数に設定し（図６の手順Ｓ６）（図７の手順Ｓ１５）、該当するエンジン回転数信号を図１に示すエンジンコントローラ１５に出力する。これにより、エンジンコントローラ１５から燃料噴射ポンプ１４に制御信号が出力され、エンジン１が目標回転数指示器１２で指示された回転数で駆動する。
【００６４】
また、車体動作許可信号を入力した車体コントローラ１３は、例えば図２の電磁弁１６を同図２の下段位置に切り換える制御信号を出力する。これにより、トルク制御弁７の受圧室７ｃは電磁弁１６を介してタンク４に連通する。したがって前述したように、トルク制御弁７のスプール７ａは、受圧室７ｄに与えられるメインポンプ２の圧、すなわちポンプ吐出圧による力と、ばね７ｂの力とがバランスする位置に保持され、これに応じてメインポンプ２の傾転角が大きくなるように制御される。操作装置５が操作されると、その操作量に応じて図示しない方向制御弁が切換えられ、車体に含まれる走行体の走行、あるいは作業機の作動に必要な流量がメインポンプ２から図示しない油圧アクチュエータに供給される。すなわち、所望の通常作業等の実施が可能となる。
【００６５】
このように構成した第１実施形態によれば、例えば作業現場に当該第１実施形態が放置され、盗難される可能性がある状況下では、第２盗難防止システムを作動させればよく、この第２盗難防止システムの作動中には緩速度で車体を動かすことは可能となるものの、通常作業が不能となる。したがって、仮に盗難された場合でも、通常作業は実施できないことから、油圧ショベルとしての機能を失い、盗難に対する牽制力が確保される。これによって盗難防止に大きく貢献する。
【００６６】
また、第２盗難防止システムが働いているときに、緊急事態が生じて車体を動かす必要が生じた場合には、スタータ１ａを駆動し、操作装置５を操作することにより、暗証番号を介在させることなく、メインポンプ２から図示しない油圧アクチュエータに、所定の低回転数ｎ１に応じた所定の低流量を供給できる。これによって最低限の駆動を実現でき、優れた機能を確保できて実用性に富む。
【００６７】
なお、第２盗難防止システムの作動中は、盗難防止コントローラ４０から例えば所定周期ごとにシステム作動信号が出力され、車体コントローラ１３の第２判断手段は、上述のようにシステム作動信号が入力されているかどうか判断し、入力されていないと判断されたときには、エンジン１の目標回転数を所定の低回転数ｎ１とする処理を行なうことから、盗難防止コントローラ４０の故障や、通信回線４２の断線等を生じて車体コントローラ１３にシステム作動信号が入力されない状況においても、上述したように図示しない油圧アクチュエータに、所定の低回転数ｎ１に相当する所定の低流量の供給が可能となる。したがって、このような第２盗難防止システムの作動中における盗難防止コントローラ４０の故障時等においても、必要に応じて緩速度で車体を動かすことが可能となる。
【００６８】
［第２実施形態の構成］
本発明の第２実施形態も盗難防止装置を装備したものである。この第２実施形態は特に、車体コントローラ１３に備えられる第１判断手段で車体動作制限信号が入力されていると判断されたとき、図示しない油圧アクチュエータへの供給流量を所定の低流量に制限する流量制限手段が、メインポンプ２の吐出流量を所定の低流量に制限する手段を含んでいる。その他の構成は前述した第１実施形態と同じである。
【００６９】
［第２実施形態の動作］
この第２実施形態においても、盗難防止コントローラ４０の第１処理部４０ａにおいて処理操作されたときには、第１実施形態におけるのと同じ処理操作が実施される。第２処理部４０ａにおける処理操作が第１実施形態と異なる。
【００７０】
図８は第２実施形態に備えられる車体コントローラ１３における処理手順を示すフローチャートである。以下、有効スイッチ５０ａがオンにされ、盗難防止コントローラ４０の第２処理部４０ｂにおいて処理操作されて第２盗難防止システムが作動する場合の処理について、この図８に示すフローチャート、及び前述の図７に示すフローチャート等に基づいて説明する。
【００７１】
盗難防止コントローラ４０の第２処理部４０ｂにおいて処理操作されると第２盗難防止システムが作動するが、第１実施形態において説明したように、このとき、盗難防止コントローラ４０からスタータ１ａへ駆動阻止信号は出力されず、また、盗難防止に関連する信号として車体動作制限信号が車体コントローラ１３に出力され、加えて、例えば所定周期ごとに第２盗難防止システムが作動したことを示すシステム作動信号が出力される。
【００７２】
車体コントローラ１３では、最初に選択手段５０からの有効選択信号が入力されているかどうか判断する（図８の手順Ｓ２１）。今は、この有効選択信号が入力されているので、この判断はイエスとなる。次に、この車体コントローラ１３に備えられる第１判断手段は、車体動作許可信号が入力されたかどうか判断する（図８の手順Ｓ２２）。今は、車体動作制限信号が入力されている状態であり、車体動作許可信号は入力されていないので、この判断はノーとなる。次に、この車体コントローラ１３に備えられる第１判断手段は、車体動作制限信号が入力されたかどうか判断する（図８の手順Ｓ２３）。今は、車体動作制限信号が入力されているので、この判断はイエスとなる。したがって、このときにはポンプトルクを最小値すなわち前述した図５に示す所定の低回転数ｎ１のときの小さな値Ｔｐ１に設定する処理がなされる（図８の手順Ｓ２４）。この小さなポンプトルク値Ｔｐ１は、車体の最低限の駆動を行ない得るものの、通常作業は不能となるポンプトルク値である。
【００７３】
次に、設定されたポンプトルク値Ｔｐ１に相当する制御信号が図２に示す電磁弁１６の制御部に出力され、この電磁弁１６が同図２に示す上段位置に操作される（図８の手順Ｓ２５）。
【００７４】
これによりパイロットポンプ３のパイロット圧が電磁弁１６を介してトルク制御弁７の受圧室７ｃに導かれ、このトルク制御弁７のスプール７ａは同図２の左方向に摺動する。したがって、パイロットポンプ３のパイロット圧が、傾転制御アクチュエータ６の受圧室６ａ，６ｂの双方に供給される。このとき、スプール６ｃの両端面の受圧面積差により、このスプール６ｃは同図２の右方向に移動し、メインポンプ２の傾転角は同図２の矢印３０で示すように最小の傾転角となる。すなわち、メインポンプ２から車体の最低限の駆動は実施できるものの、通常作業が不能となる所定の低流量が油圧アクチュエータに供給可能な状態に保持される。
【００７５】
仮に、このような第２盗難防止システムの作動中に、当該油圧ショベルが盗難された場合、スタータ１ａを駆動し、エンジン１を起動させた状態で、図２に示す操作装置５を操作して図示しない方向制御弁を切り換えても、メインポンプ２から吐出される流量は、上述した第１実施形態におけるのと同等の図５に示す小さなポンプトルク値Ｔｐ１に相応する所定の低流量となる。したがって、第１実施形態におけるのと同様に、本体に含まれる走行体の緩速度の走行、作業機の緩速度の作動は可能であるものの、通常作業等は実施できない。
【００７６】
また、この第２実施形態にあっても、第１実施形態におけるのと同様に、第２盗難防止システムの作動中に盗難防止コントローラ４０からシステム作動信号が出力され、図７のフローチャートで示すように、車体コントローラ１３は、最初に選択手段５０からの有効選択信号が入力されているかどうか判断する（図７の手順Ｓ１１）。今は、この有効選択信号が入力されているので、この判断はイエスとなる。次に、この車体コントローラ１３に備えられる第２判断手段で、システム作動信号が入力されているかどうか判断され（図７の手順Ｓ１２）、システム作動信号が入力されていないと判断されたときには、例えばエンジン１の目標回転数として所定の低回転数ｎ１が設定され（図７の手順Ｓ１３）、次に、設定された所定の低回転数ｎ１に相当するエンジン回転数信号が通信回線４２を介してエンジンコントローラ１５に出力される（図７の手順Ｓ１４）。したがって、このときエンジン１は所定の低回転数ｎ１での駆動が可能な状態に保持される。
【００７７】
そして、第２盗難防止システムを解除させるために選択手段５０の有効スイッチ５０ａをオフにすると、図７の手順Ｓ１１の判断はノーとなり、エンジン１の目標回転数を回転数指示器１２で指示されるエンジン目標回転数に設定し（図７の手順Ｓ１５）、また、図８の手順Ｓ２１の判断はノーとなり、ポンプトルクを回転数指示器１２で指示された目標回転数に応じた演算トルクとする設定が行なわれ（図８の手順Ｓ２６）、その演算トルクに相当する制御信号が、図２に示す電磁弁１６の制御部に出力される。これにより、電磁弁１６は下段位置方向に切り換えられ、トルク制御弁７の受圧室７ｃがタンク４に連通する傾向となり、傾転制御アクチュエータ６のスプール６ｃが同図２の左方向に摺動する傾向となり、メインポンプ２の傾転角が最小傾転角に比べて大きくなるように制御される。したがって、所望の通常作業等の実施が可能な状態となる。
【００７８】
このように構成した第２実施形態も、第２盗難防止システムの作動中は、緩速度で車体を動かすことが可能となるものの、通常作業が不能となり、また、必要時には暗証番号を介在させることなく車体の最低限の駆動が可能となり、上述した第１実施形態におけるのと同等の効果が得られる。
【００７９】
［第３実施形態の構成］
本発明の第３実施形態も、盗難防止装置を装備したものである。この第３実施形態は特に、車体コントローラ１３に備えられる第１判断手段で車体動作制限信号が入力されていると判断されたとき、図示しない油圧アクチュエータへの供給流量を所定の低流量に制限する流量制限手段が、第１実施形態に備えられるエンジン回転数を所定の低回転数ｎ１に制限する手段と、第２実施形態に備えられるメインポンプ２の吐出流量を所定の低流量に制限する手段とを含んでいる。その他の構成は前述した第１実施形態と同じである。
【００８０】
［第３実施形態の動作］
この第３実施形態における処理操作は上述の第１実施形態、第２実施形態における処理操作を複合させたものである。したがって、この第３実施形態においても、盗難防止コントローラ４０の第１処理部４０ａが操作されているときには、第１実施形態におけるのと同じ処理操作が実施される。
【００８１】
図９は、第３実施形態に備えられる車体コントローラ１３における処理手順を示すフローチャートである。以下、選択手段５０で有効スイッチ５０ａがオンにされ、盗難防止コントローラ４０の第２処理部４０ｂにおいて処理操作されて第２盗難防止システムが作動する場合の処理について、図９に示すフローチャート、及び図７に示すフローチャート等に基づいて説明する。
【００８２】
盗難防止コントローラ４０の第２処理部４０ｂにおいて処理操作されると第２盗難防止システムが作動するが、このとき、盗難防止コントローラ４０からスタータ１ａへ駆動阻止信号が出力されず、また盗難防止に関連する信号として車体動作制限信号が車体コントローラ１３に出力され、加えて、例えば所定周期ごとに第２盗難防止システムが作動したことを示すシステム作動信号が出力される。
【００８３】
車体コントローラ１３では、最初に選択手段５０からの有効選択信号が入力されているかどうか判断する（図９の手順Ｓ３１）。今は、この有効選択信号が入力されているので、この判断はイエスとなる。次に、この車体コントローラ１３に備えられる第１判断手段は、車体動作許可信号が入力されたかどうか判断する（図９の手順Ｓ３２）。今は、車体動作制限信号が入力されている状態であり、車体動作許可信号は入力されていないので、この判断はノーとなる。次に、この車体コントローラ１３に備えられる第１判断手段は、車体動作制限信号が入力されたかどうか判断する（図９の手順Ｓ３３）。今は、車体動作制限信号が入力されているので、この判断はイエスとなる。したがって、このときには、エンジン１の目標回転数を所定の低回転数ｎ１に設定する（図９の手順Ｓ３４）と共に、ポンプトルクを小さな値Ｔｐ１に設定する処理がなされる（図９の手順Ｓ３５）。
【００８４】
次に、設定された所定の低回転数ｎ１に相当するエンジン回転数信号がエンジンコントローラ１５に出力される（図９の手順Ｓ３６）と共に、ポンプトルク値Ｔｐ１に相当する制御信号が電磁弁１６の制御部に出力される（図９の手順Ｓ３７）。
【００８５】
これらの制御により前述したように、エンジン１は所定の低回転数ｎ１での駆動が可能な状態に保持され、メインポンプ２は所定の低流量に吐出可能に保持される。すなわち、操作装置５の操作に伴って図示しない方向制御弁が切り換えられた際に、図示しない油圧アクチュエータに所定の低流量の供給が可能となる。なお、この第３実施形態でも、図７のフローチャートに従って、システム作動信号が入力されていないかどうかの判断、及び該当する処理が、前述した第１、第２実施形態におけるのと同様に実施される。
【００８６】
また、第２盗難防止システムを解除させるために、選択手段５０の有効スイッチ５０ａをオフにすると、図７の手順Ｓ１１の判断、図９の手順Ｓ３１の判断はノーとなり、エンジン１の回転数を回転数指示器１２で指示されるエンジン目標回転数に設定し（図７の手順Ｓ１５）（図９の手順Ｓ３８）、また、ポンプトルクを回転数指示器１２で指示された目標回転数に応じた演算トルクとする処理がなされる（図９の手順Ｓ３９）。これらの目標回転数、演算トルクに相応するエンジン回転数信号、制御信号がエンジンコントローラ１５、電磁弁１６のそれぞれに出力される（図９の手順Ｓ３６、Ｓ３７）。
【００８７】
これらにより、エンジン１が回転数指示器１２で指示された回転数で駆動可能になり、メインポンプ２の傾転角が大きくなるように制御される。したがって、所望の通常作業等の実施が可能な状態となる。
【００８８】
このように構成した第３実施形態も、第２盗難防止システムの作動中は通常作業が不能となり、また必要時には、暗証番号を介在させることなく車体の最低限の駆動が可能となり、上述した第１，第２実施形態におけるのと同等の効果が得られる。
【００８９】
上述した第１〜第３実施形態は、盗難防止装置を装備した油圧ショベルであるが、上述した第１〜第３実施形態において、盗難防止装置の主要部を除いた構成とすることもできる。すなわち、図１に示す構成から破線で囲んだ盗難防止コントローラ４０部分を除いた構成にすることもできる。
【００９０】
例えば第１実施形態の構成から盗難防止コントローラ４０部分を除いたものにあっては、当該油圧ショベルの駆動に際して、選択手段５０の無効スイッチ５０ｂがオンにされる。これにより、選択手段５０から車体コントローラ１３に無効選択信号が出力され、車体コントローラ１３の流量制限手段の作動を無効にする手段が働き、すなわち図６の手順Ｓ１の判断、及び図７の手順Ｓ１１の判断がそれそれノーとなり、エンジン１を回転数指示器１２で指示された回転数で駆動することができ、所望の通常作業等の実施が可能になる。
【００９１】
なお、このように盗難防止コントローラ４０部分を除いたものにあって、誤って選択手段５０の有効スイッチ５０ａがオンにされたときには、例えば図７の手順Ｓ１１→Ｓ１２→Ｓ１３→Ｓ１４の処理が行なわれ、エンジン１は所定の低回転数ｎ１での駆動のみが可能な状態となる。
【００９２】
このように第１実施形態の構成から盗難防止コントローラ４０を除いたものでは、車体コントローラ１３が、盗難防止コントローラ４０が装着されたときに対応可能な流量制限機能を有するものの、選択手段５０で無効スイッチ５０ｂをオンにすることにより、通常作業等を支障なく実施することができる。上述した第２実施形態、第３実施形態の構成から盗難防止コントローラ４０を除いたものも同様にして、通常作業等を支障なく実施することができる。
【００９３】
すなわち、上述した各実施形態は、盗難防止コントローラ４０が装着されたときに対応可能な車体コントローラ１３の機能を確保できると共に、選択手段５０で無効スイッチ５０ｂをオンとすることにより、盗難防止コントローラ４０が装着されないときの良好な作業性も確保できる。したがって、盗難防止コントローラ４０を備える場合、盗難防止コントローラ４０を備えない場合のいずれの場合も所望の機能を確保することができる。
【図面の簡単な説明】
【００９４】
【図１】本発明に係る建設機械の第１実施形態を示す要部構成図である。
【図２】本発明の第１実施形態に装備されるポンプトルク制御装置を示す油圧回路図である。
【図３】本発明の第１実施形態が保有する基本特性のうちのポンプ吐出圧−押し除け容積特性（ＰＱ特性に対応）、及びポンプ吐出圧−ポンプトルク特性を示す図である。
【図４】本発明の第１実施形態が保有する基本特性のうちのＰＱ線移動特性を示す図である。
【図５】本発明の第１実施形態が保有する基本特性のうちのエンジン目標回転数−トルク特性を示す図である。
【図６】本発明の第１実施形態に備えられる車体コントローラにおける処理手順を示すフローチャートである。
【図７】本発明の第１実施形態に備えられる車体コントローラにおける処理手順を示すフローチャートである。
【図８】本発明の第２実施形態に備えられる車体コントローラにおける処理手順を示すフローチャートである。
【図９】本発明の第３実施形態に備えられる車体コントローラにおける処理手順を示すフローチャートである。
【符号の説明】
【００９５】
１    エンジン
１ａ  スタータ
２    メインポンプ
２Ａ  レギュレータ
３    パイロットポンプ
４    タンク
５    操作装置
６    傾転制御アクチュエータ
６ａ  受圧室
６ｂ  受圧室
６ｃ  スプール
７    トルク制御弁
７ａ  スプール
７ｂ  ばね
７ｃ  受圧室
７ｄ  受圧室
１２    回転数指示器
１３    車体コントローラ
１５    エンジンコントローラ
１６    電磁弁
１６ａ  ばね
２３    ＰＱ線図
２４    ＰＱ線図
２５    エンジン最大トルク線図
２６    最大ポンプトルク線図
４０    盗難防止コントローラ
４０ａ  第１処理部
４０ｂ  第２処理部
４１    信号線
４２    通信回線（通信手段）
ＴＰ１  小さな値
ＴＰ２  最大値
ｎ１    所定の低回転数
ｎ２    定格回転数
５０    選択手段
５０ａ  有効選択スイッチ
５０ｂ  無効選択スイッチ
【図１】
2006088835.tif 000003
【図２】
2006088835.tif 000004
【図３】
2006088835.tif 000005
【図４】
2006088835.tif 000006
【図５】
2006088835.tif 000007
【図６】
2006088835.tif 000008
【図７】
2006088835.tif 000009
【図８】
2006088835.tif 000010
【図９】
2006088835.tif 000011